(57)【特許請求の範囲】
【請求項１】
アニオン基比率が５５モル％以上８５モル％以下であるポリアクリルアミド系アニオン性高分子凝集剤（但し、前記ポリアクリルアミド系アニオン性高分子凝集剤が、（Ａ）水溶性ビニル単量体、（Ｂ）水、（Ｃ）少なくとも一種類の炭化水素からなる油状物質、（Ｄ）油中水型エマルジョンを形成するに有効な量とＨＬＢを有する少なくとも一種類の界面活性剤、及び（Ｅ）下記一般式（１）及び／又は（２）で表わされるポリオキシ化合物を混合し、強攪拌し油中水型エマルジョンを形成させた後、重合することにより製造したエマルジョン粒子径が０．１〜５０μｍであることを特徴とする油中水型水溶性高分子エマルジョンである場合を除く）を、被処理水に添加すること、及び
前記高分子凝集剤を添加した被処理水を固液分離することを含み、
前記被処理水は、電気伝導度が１，０００ｍＳ／ｍ以上である高塩類濃度の廃水であって、ソーダ工業、食品工場、メッキ工場、ステンレス工場、及び製紙工場からなる群から排出される廃水（但し、カチオン性有機高分子凝集剤が添加された有機汚泥を除く）である、廃水処理方法。
【化１】
0006744526.tif 000006
【請求項２】
前記ポリアクリルアミド系アニオン性高分子凝集剤は、ポリアクリルアミドの部分加水分解物、アクリルアミドとアクリル酸及び２−アクリロイルアミノ−２−メチルプロパンスルホン酸の少なくとも一方を含むアニオン性モノマーとの共重合体、並びにこれらの組み合わせからなる群から選択される、請求項１記載の廃水処理方法。
【請求項３】
アニオン基比率が５５モル％以上８５モル％以下であるポリアクリルアミド系アニオン性高分子凝集剤を有効成分として含み、
請求項１又は２のいずれかに記載の廃水処理方法に用いられるための廃水処理剤。
【請求項４】
前記ポリアクリルアミド系アニオン性高分子凝集剤は、ポリアクリルアミドの部分加水分解物、アクリルアミドとアクリル酸及び２−アクリロイルアミノ−２−メチルプロパンスルホン酸の少なくとも一方を含むアニオン性モノマーとの共重合体、並びにこれらの組み合わせからなる群から選択される、請求項３記載の廃水処理剤。
【発明の詳細な説明】
【技術分野】
【０００１】
本開示は、廃水処理方法及び廃水処理剤に関し、特に高塩類濃度の廃水を処理するための廃水処理方法及び廃水処理剤に関する。
【背景技術】
【０００２】
凝集沈殿等による産業廃水の清澄化には、一般的には、アニオン性及びノニオン性の高分子凝集剤が使用されている。アニオン性高分子凝集剤は、ポリマー鎖中にカルボキシル基、スルホン基などのアニオン性の解離基をもつ。また同時に、アミド基等の非解離基の親水性基をもつ場合が多く、双方が性能に関与するものと考えられている。
ポリアクリルアミド系アニオン性高分子凝集剤は、弱アニオンと称されるアニオン基比率が５％のものから強アニオンと称されるアニオン基比率が４０モル％のものが一般に使用され、なかでも、中アニオンと称されるアニオン基比率が２０モル％前後のアニオン性高分子凝集剤が広く使用されている。その理由は、ポリアクリルアミド系アニオン性高分子凝集剤の凝集効果は、アニオン鎖による荷電バランスに加え、高分子凝集剤のノニオン鎖（アクリルアミド）による水素結合力が重要な因子であると考えられているからである。したがって、凝集作用には、分子内にノニオン鎖を多く有するもの、すなわちアニオン基比率が低いものが好ましいと考えられている。また分子量が大きいものが適していると考えられている（例えば、非特許文献１参照）。
【０００３】
特許文献１は、アニオン性又はノニオン性のポリアクリルアミド系高分子凝集剤とアルカリ金属炭酸塩とを含む水溶液からなる無機微細粒子含有廃水用処理剤を開示する。同文献には、ポリアクリルアミド系高分子凝集剤の一例として、加水分解率が４０モル％以下のポリアクリルアミド部分加水分解物が使用できることが開示されている。
特許文献２は、被処理水にアニオン性高分子凝集剤を添加し、その後、撹拌して造粒し、次いで固液分離して処理水を得る水処理方法において、アニオン性高分子凝集剤を添加する前に、被処理水に、カチオン系高分子凝集剤を添加することを開示する。同文献には、アニオン性高分子凝集剤としては、アニオン基比率が５〜３０モル％、特に５〜２０モル％のものが好適であることが開示されている（段落００２３、段落００４７参照）。
特許文献３は、古紙パルプ排水に対し、縮合系ポリアミンを添加した後、高分子凝集剤を添加する方法を開示する。同文献には、高分子凝集剤としてポリアクリルアミド等のノニオン性又はアニオン性高分子凝集剤が好ましいことが開示されている（段落０００８）。
特許文献４は、無機イオン含有排水に、カチオン基比率が１０〜５０モル％のカチオン性高分子凝集剤を添加し撹拌してフロックを生成させた後、さらにアニオン性高分子凝集剤を添加して該凝集フロックを造粒することを含む無機イオン含有排水の処理方法を開示する。
【先行技術文献】
【特許文献】
【０００４】
【特許文献１】特開平０６−３３５６０５号公報（特許３３４４４３１号）
【特許文献２】ＷＯ２０１４／０３８５３７Ａ１
【特許文献３】特開平１１−０３３５６３号公報
【特許文献４】特開２０１５−０６６５４６号公報
【非特許文献】
【０００５】
【非特許文献１】「水溶性高分子の基礎と応用技術」、株式会社シーエムシー、２０１４年８月２７日普及版第２刷発行（１３６〜１３７頁、（（３）高分子凝集剤の特性  （１）  アニオン、ノニオン性高分子凝集剤の項参照）
【発明の概要】
【発明が解決しようとする課題】
【０００６】
ソーダ工業、食品工場及びメッキ工場等から排出される高塩類濃度の廃水を凝集沈殿によって処理する場合、従来の方法では、十分な凝集効果が得られず、例えば、フロックが形成されにくかったり、形成されてもその大きさが小さいことから凝集沈殿により分離できにくく、十分な処理効果が得られないという問題がある。
【０００７】
本開示は、一又は複数の実施形態において、広いｐＨ域を有する高塩類濃度の廃水を処理可能な新たな廃水処理方法及び廃水処理剤を提供する。
【課題を解決するための手段】
【０００８】
本開示は、一態様において、アニオン基比率が５５モル％以上８５モル％以下であるポリアクリルアミド系アニオン性高分子凝集剤を、被処理水に添加すること、及び前記高分子凝集剤を添加した被処理水を固液分離することを含み、前記被処理水が、高塩類濃度の廃水である廃水処理方法に関する。
【０００９】
本開示は、その他の一態様において、アニオン基比率が５５モル％以上８５モル％以下であるポリアクリルアミド系アニオン性高分子凝集剤を有効成分として含む廃水処理剤に関する。
【発明の効果】
【００１０】
本開示によれば、一又は複数の実施形態において、酸性域からアルカリ性域の広いｐＨ範囲において固液分離可能なフロックが形成され、処理効果が向上するという効果を奏しうる。本開示によれば、一又は複数の実施形態において、濁度が低く処理後の水質が良好な廃水処理方法及び廃水処理剤を提供できるという効果を奏しうる。本開示によれば、一又は複数の実施形態において、使用する薬剤の量を低減できるという効果を奏しうる。
【発明を実施するための形態】
【００１１】
本開示は、塩類濃度が高い廃水に含まれる懸濁成分を、アニオン基比率が５５モル％以上８５％モル以下のポリアクリルアミド系アニオン性高分子凝集剤により、効果的に捕捉できるという知見に基づく。
【００１２】
アニオン基比率が５５モル％以上８５％モル以下のポリアクリルアミド系アニオン性高分子凝集剤を用いることにより、塩類濃度が高い廃水であっても、廃水中の懸濁成分を効果的に捕捉できるメカニズムの詳細は明らかではないが、以下のように推定される。上記した通り、ポリアクリルアミド系アニオン性高分子凝集剤の凝集効果は、アニオン基による荷電バランスとノニオン基による水素結合力とが重要な因子であると考えられている。よって、廃水処理には、通常、アニオン基比率が２０〜３０モル％程度のポリアクリルアミド系アニオン性高分子凝集剤を用いられている。しかしながら、塩類濃度の高い廃水の場合、廃水に多量に含まれる塩類によってアニオン基が荷電中和され、その結果ポリアクリルアミド系アニオン性高分子凝集剤における荷電バランスの変化及び分子鎖の委縮が生じる。そのため、上記のアニオン基比率の通常のポリアクリルアミド系アニオン性高分子凝集剤では、懸濁成分への吸着能及びアニオン性高分子凝集剤間での架橋能が低下する。これに対し、通常のポリアクリルアミド系アニオン性高分子凝集剤よりもアニオン基比率が高い５５モル％以上８５モル％以下のポリアクリルアミド系アニオン性高分子凝集剤を使用することにより、塩類による荷電中和が生じた場合であっても、荷電バランスの変化及び分子鎖の委縮が抑制される。このため、凝集に適した懸濁成分への吸着とポリアクリルアミド系アニオン性高分子凝集剤間の架橋とのバランスとを発揮でき、ポリアクリルアミド系アニオン性高分子凝集剤が本来備える凝集能を発揮できる。その結果、固液分離可能なフロックを形成させることができ、処理効果を向上することができる。但し、本開示は、このメカニズムに限定されなくてもよい。
【００１３】
［廃水処理方法］
本開示は、一態様において、アニオン基比率が５５モル％以上８５モル％以下であるポリアクリルアミド系アニオン性高分子凝集剤を、高塩類濃度の廃水である被処理水に添加すること、及び前記高分子凝集剤を添加した被処理水を固液分離することを含む廃水処理方法に関する。
【００１４】
［被処理水］
本開示の廃水処理方法における被処理水である高塩類濃度の廃水とは、一又は複数の実施形態において、電気伝導度が１００ｍＳ／ｍ以上の廃水が挙げられる。また、一又は複数の実施形態において、電気伝導度が５００ｍＳ／ｍ以上の廃水が挙げられる。電気伝導度は、一又は複数の実施形態において、１０００ｍＳ／ｍ以上、２０００ｍＳ／ｍ以上、５０００ｍＳ／ｍ以上１００００ｍＳ／ｍ以上又は２００００ｍＳ／ｍ以上である。また、電気伝導度は、一又は複数の実施形態において、１０００ｍＳ／ｍ以上、２００００ｍＳ／ｍ以下又は５０００ｍＳ／ｍ以上、若しくは１００００ｍＳ／ｍ以上、若しくは２００００ｍＳ／ｍ以上、１０００００ｍＳ／ｍ以下である。電気伝導度は、実施例に記載の方法で測定できる。
【００１５】
高塩類濃度の廃水としては、一又は複数の実施形態において、ソーダ工業、食品工場、メッキ工場、ステンレス工場、製紙工場等で排出される廃水が挙げられる。
ソーダ工業で排出される廃水の電気伝導度は、一又は複数の実施形態において、１００００ｍＳ／ｍ以上又は２００００ｍＳ／ｍ以上であり、また１０００００ｍＳ／ｍ以下である。
メッキ工場で排出される廃水の電気伝導度は、一又は複数の実施形態において、２００００ｍＳ／ｍ以上又は４００００ｍＳ／ｍ以上であり、また１０００００ｍＳ／ｍ以下である。
ステンレス工場で排出される廃水の電気伝導度は、一又は複数の実施形態において、５０００ｍＳ／ｍ以上又は１００００ｍＳ／ｍ以上であり、また１０００００ｍＳ／ｍ以下である。
製紙工場で排出される廃水の電気伝導度は、一又は複数の実施形態において、１０００ｍＳ／ｍ以上又は２０００ｍＳ／ｍ以上であり、また２００００ｍＳ／ｍ以下である。
【００１６】
被処理水は、一又は複数の実施形態において、ナトリウム、カリウム、カルシウム、塩素、フッ素、硫酸イオン、硝酸イオン等の塩又はイオンを１又は２種類以上含む。
【００１７】
［ポリアクリルアミド系アニオン性高分子凝集剤］
本開示の廃水処理方法は、アニオン基比率が５５モル％以上８５％モル以下のポリアクリルアミド系アニオン性高分子凝集剤を使用する。本開示において「アニオン基比率」は、高分子凝集剤の構成単位におけるアニオン基を有する構成単位の割合のことを意味し、例えば、下記式から算出できる。
アニオン基比率（モル％）＝｛アニオン基を有する構成単位のモル比／（アニオン基を有する構成単位のモル比＋ノニオン基を有する構成単位のモル比）｝×１００
【００１８】
ポリアクリルアミド系アニオン性高分子凝集剤としては、アニオン基比率が５５モル％以上８５％モル以下であれば特に制限されるものではなく、ポリアクリルアミド系アニオン性高分子凝集剤として使用されるものが適用できる。好ましいアニオン基比率は６０モル％以上８０モル％以下である。
【００１９】
ポリアクリルアミド系アニオン性高分子凝集剤としては、一又は複数の実施形態において、アクリルアミドとアニオン性モノマーの共重合物、ポリアクリルアミドの加水分解物等が挙げられる。アニオン性モノマーとしては、アクリル酸及び２−アクリロイルアミノ−２−メチルプロパンスルホン酸（ＡＭＰＳ）の少なくとも一方を含むモノマーが挙げられる。
アクリルアミドとアニオン性モノマーの共重合物としては、一又は複数の実施形態において、アクリルアミド−アクリル酸共重合物、アクリルアミド−ＡＭＰＳ共重合物、アクリルアミド−アクリル酸−ＡＭＰＳ共重物が挙げられる。
本開示のポリアクリルアミド系アニオン性高分子凝集剤はアルカリ金属塩としてもよい。アルカリ金属塩としてはカリウム塩、ナトリウム塩が挙げられる。
【００２０】
ポリアクリルアミド系アニオン性高分子凝集剤の分子量は、一又は複数の実施形態において、９００万以上２２００万以下であり、処理効果を向上させる点から、１０００万以上、１２００万以上又は１４００万以上が挙げられる。
【００２１】
ポリアクリルアミド系アニオン性高分子凝集剤の添加濃度は、被処理水の種類に応じて適宜設定でき、一又は複数の実施形態において、０．５ｍｇ／Ｌ以上又は１ｍｇ／Ｌ以上であり、また１０ｍｇ／Ｌ以下又は３ｍｇ／Ｌ以下である。
【００２２】
ポリアクリルアミド系アニオン性高分子凝集剤の形態は特に限定されるものではなく、廃水の凝集処理用に一般に流通しているものが使用できる。一又は複数の実施形態において、粉末、Ｗ／Ｏ型エマルション、又は水系媒体中にアニオン性高分子凝集剤粒子が分散しているディスパージョン等が挙げられる。
【００２３】
本開示の廃水処理方法は、一又は複数の実施形態において、フロックの形成効率を向上させる点から、ポリアクリルアミド系アニオン性高分子凝集剤を添加した被処理水を撹拌することを含んでもよい。
【００２４】
被処理水の固液分離は、一又は複数の実施形態において、形成された凝集物（フロック）を沈殿や浮上させることにより行うことができる。
【００２５】
本開示の廃水処理方法は、凝集効果を向上させる点から、一又は複数の実施形態において、無機凝結剤及び有機凝結剤等と併用してもよい。本開示の廃水処理方法によれば、無機凝結剤及び／又は有機凝結剤と併用した場合、一又は複数の実施形態において、処理に使用する薬剤の使用量を低減できるという効果を奏しうる。無機凝結剤及び有機凝結剤は、一又は複数の実施形態において、ポリアクリルアミド系アニオン性高分子凝集剤を添加する前に添加することが好ましい。
無機凝結剤としては、一又は複数の実施形態において、水酸化物を形成できるものが挙げられる。無機凝結剤としては、一又は複数の実施形態において、ＰＡＣ（ポリ塩化アルミニウム）、ポリ鉄（ポリ硫酸第二鉄）、塩鉄（塩化第二鉄）及び硫酸バンド等が挙げられる。被処理水がフッ素及びリン酸等を含む場合、一又は複数の実施形態として、消石灰などのカルシウム化合物が使用できる。無機凝結剤の添加量は、被処理水に対して、一又は複数の実施形態において、１０ｍｇ／Ｌ以上又は２０ｍｇ／Ｌ以上であり、また１０００ｍｇ／Ｌ以下又は５００ｍｇ／Ｌ以下程度である。
有機凝結剤としては、一又は複数の実施形態として、低分子量のアルキルアミノ（メタ）アクリレート４級塩重合物、第２アミン−エピクロルヒドリン及びジアリルジメチルアンモニウム等が挙げられる。
【００２６】
［廃水処理剤］
本開示は、その他の態様において、アニオン基比率が５５モル％以上８５モル％以下であるポリアクリルアミド系アニオン性高分子凝集剤を有効成分として含む廃水処理剤に関する。ポリアクリルアミド系アニオン性高分子凝集剤としては、上述の通りである。本開示の廃水処理剤は、一又は複数の実施形態において広いｐＨ範囲、例えばｐＨ４．５〜１２において、高塩類濃度の廃水の処理を効率的に行うことができる。
【００２７】
本開示の廃水処理剤の形態としては、一又は複数の実施形態において、粉末、固形、水分散液及びエマルションが挙げられる。水分散液の場合、本開示の廃水処理剤におけるポリアクリルアミド系アニオン性高分子凝集剤の含有量は、一又は複数の実施形態において、１０重量％以上３０重量％以下である。エマルションの場合、本開示の廃水処理剤におけるポリアクリルアミド系アニオン性高分子凝集剤の含有量は、一又は複数の実施形態において、４０重量％以上６５重量％以下である。
【００２８】
本開示は、以下の一又は複数の実施形態に関しうる；
〔１〕  アニオン基比率が５５モル％以上８５モル％以下であるポリアクリルアミド系アニオン性高分子凝集剤を、被処理水に添加すること、及び
前記高分子凝集剤を添加した被処理水を固液分離することを含み、
前記被処理水は、高塩類濃度の廃水である、廃水処理方法。
〔２〕前記ポリアクリルアミド系アニオン性高分子凝集剤は、ポリアクリルアミドの部分加水分解物、アクリルアミドとアクリル酸及び２−アクリロイルアミノ−２−メチルプロパンスルホン酸の少なくとも一方を含むアニオン性モノマーとの共重合体、並びにこれらの組み合わせからなる群から選択される、〔１〕記載の水処理方法。
〔３〕  前記被処理水の電気伝導度は、１，０００ｍＳ／ｍ以上である、〔１〕又は〔２〕記載の水処理方法。
〔４〕  アニオン基比率が５５モル％以上８５モル％以下であるポリアクリルアミド系アニオン性高分子凝集剤を有効成分として含む廃水処理剤。
〔５〕前記ポリアクリルアミド系アニオン性高分子凝集剤は、ポリアクリルアミドの部分加水分解物、アクリルアミドとアクリル酸及び２−アクリロイルアミノ−２−メチルプロパンスルホン酸の少なくとも一方を含むアニオン性モノマーとの共重合体、並びにこれらの組み合わせからなる群から選択される、〔４〕記載の廃水処理剤。
〔６〕  高塩類濃度の廃水を処理するために用いられる、〔４〕又は〔５〕記載の廃水処理剤。
【００２９】
以下の実施例及び比較例に基いて本開示を説明するが、本開示はこれに限定されるものではない。
【実施例】
【００３０】
［高分子凝集剤］
下記表１のアニオン基比率をもつポリアクリルアミド系アニオン性高分子凝集剤を用いた。
【表１】
0006744526.tif 000002
【００３１】
［電気伝導度の測定］
廃水の電気伝導度は、ＪＩＳ  Ｋ０１０２（２００８年）「工場廃水試験方法」１３．電気伝導率の項に準拠して測定した。
［濁度の測定］
濁度は、採取したサンプルの吸光度を分光光度計によって測定し、カオリン標準液を用いて作製した検量線から求めた。
【００３２】
［試験例１：ソーダ工場廃水］
表１のポリアクリルアミド系アニオン性高分子凝集剤１又は２（１ｇ）に水を加えて溶解し、１０００ｍＬに調製することによって０．１重量％水溶液を調製した。実際のソーダ工場の含塩廃水（電気伝導度４０，０００ｍＳ／ｍ）５００ｍＬの入ったビーカーに、高分子凝集剤の添加濃度が１ｍｇ／Ｌとなるように上記高分子凝集剤の水溶液を添加した。高分子凝集剤水溶液添加前（未処理）の被処理水のｐＨは１１前後であり、濁度（カオリン濁度標準）は１００であった。
ポリアクリルアミド系アニオン性高分子凝集剤を添加後、１２０ｒｐｍで１分間攪拌し、更に６０ｒｐｍで１分間攪拌した。形成されたフロックを採取し、フロックの直径を定規を用いて測定した。また、上記攪拌後１分間静置し、上澄液を採取し、濁度を求めた。これらの結果を下記表２に示す。
【００３３】
比較例として、ポリアクリルアミド系アニオン性高分子凝集剤１又は２に替えて表１のポリアクリルアミド系アニオン性高分子凝集剤４又は５を使用した以外は、上記と同様に行った。その結果を下記表２に示す。
【００３４】
【表２】
0006744526.tif 000003
【００３５】
表２に示すように、実施例１−１及び１−２の方法で処理することにより、比較例１−１及び１−２と比較して大きなフロックが形成されるとともに、上澄液の濁度も低かった。
また、ポリアクリルアミド系アニオン性高分子凝集剤に替えてカチオン性高分子凝集剤（アルキルアミノアクリレート４級塩重合物（ＤＡＭ）カチオン基比率：１０乃至１００モル％、分子量：９００万）を使用し、上記と同様の試験を行った。その結果、フロックの大きさ及び上澄液の濁度のいずれも、上記比較例と同程度であった。
つまり、アニオン基比率が６０又は７０モル％であるポリアクリルアミド系アニオン性高分子凝集剤を用いて処理を行うことによって、電気伝導度４０，０００ｍＳ／ｍのソーダ工場廃水に含まれる懸濁成分を効率よく除去でき、濁度が１０未満の処理水を得ることができた。
【００３６】
［試験例２：メッキ工場廃水］
試験例１の廃水に替えて実際のメッキ工場のフッ素及びチタン含有廃水（電気伝導度６０，０００ｍＳ／ｍ）を使用し、ポリアクリルアミド系アニオン性高分子凝集剤の添加濃度を３ｍｇ／Ｌとした以外は、試験例１と同様の手順で処理を行った。高分子凝集剤としては、表１のポリアクリルアミド系アニオン性高分子凝集剤１〜４を使用した。その結果を下記表３に示す。なお、高分子凝集剤の水溶液添加前（未処理）の被処理水のｐＨは５〜６前後となるように水酸化ナトリウム水溶液で中和した。濁度（カオリン濁度標準）は測定不能なほど濁っていた。
【００３７】
【表３】
0006744526.tif 000004
【００３８】
表３に示すように、実施例２−１〜２−３の方法で処理することにより、比較例２と比較して大きなフロックが形成されるとともに、上澄液の濁度を大幅に低くできた。
また、ポリアクリルアミド系アニオン性高分子凝集剤に替えてカチオン系高分子凝集剤（アルキルアミノアクリレート４級塩重合物（ＤＡＭ）カチオン基比率：３０乃至８０モル％、分子量：９００万）を使用し、上記と同様の試験を行った。その結果、フロックの沈降がほとんど見られず、濁度も処理前とほとんど変わらなかった。
つまり、アニオン基比率が６０〜８０モル％であるポリアクリルアミド系アニオン性高分子凝集剤を用いて処理を行うことによって、電気伝導度４０，０００ｍＳ／ｃｍのメッキ工場廃水に含まれる懸濁成分を効率よく除去でき、濁度が１５以下の処理水を得ることができた。
【００３９】
［試験例３：製紙工場白水回収設備廃水］
試験例１の廃水に替えて実際の製紙工場の白水回収設備廃水（電気伝導度２０００ｍＳ／ｃｍ）５００ｍＬの入ったビーカーに、有機凝結剤としてジアリルジメチルアンモニウムクロライドを２ｍｇ／Ｌ添加した。ついで、０．１重量％の高分子凝集剤水溶液を、高分子凝集剤の添加濃度が２ｍｇ／Ｌとなるように添加した。添加後、１２０ｒｐｍで１分間攪拌し、更に６０ｒｐｍで１分間攪拌した。高分子凝集剤は、表１のポリアクリルアミド系アニオン性高分子凝集剤１〜３及び４を使用した。なお、ジアリルジメチルアンモニウムクロライド添加前の被処理水のｐＨは７〜８であり、濁度（カオリン濁度標準）は２００であった。
フロックの大きさの測定及び濁度の計測は、試験例１と同様に行った。その結果を下記表４に示す。
【００４０】
【表４】
0006744526.tif 000005
【００４１】
表４に示すように、実施例３−１〜３−３の方法で処理することにより、比較例３と比較して大きなフロックが形成されるとともに、上澄液の濁度も低減した。したがって、アニオン基比率が６０〜８０モル％であるポリアクリルアミド系アニオン性高分子凝集剤を用いて処理を行うことによって、電気伝導度２０００ｍＳ／ｍの製紙工場白水回収場廃水に含まれる懸濁成分を除去できた。
【００４２】
また、有機凝結剤とアニオン基比率が６０〜８０モル％であるポリアクリルアミド系アニオン性高分子凝集剤とを併用することによって、従来の凝集剤（アニオン基比率が３０モル％であるポリアクリルアミド系アニオン性高分子凝集剤）と有機凝結剤との併用よりも低い添加量の有機凝結剤で、従来の方法よりも大きなフロックが形成されるとともに、処理後の上澄液の濁度を低減できた。